(57)【特許請求の範囲】
【請求項１】
布保持用の枠をガイドレールに沿って往復移動するように構成したミシンの移動部被覆装置において、前記ガイドレールに一体成形する被覆部であって、前記ガイドレールから鉛直方向に延出する第１延出部、及び該第１延出部に連続して水平方向に延出する第２延出部を有する被覆部と、該被覆部と前記ガイドレールとの間の空間内で前記ガイドレールに往復移動可能に装着すると共に、前記空間外に延出して前記布保持用の枠を支持する枠取付部材を備え、該枠取付部材の前記ガイドレールに沿った移動部を前記被覆部によって被覆したことを特徴とするミシンの移動部被覆装置。
【請求項２】
前記ガイドレール及び前記被覆部を押出成形によって一体成形するようにしたことを特徴とする請求項１記載のミシンの移動部被覆装置。
【請求項３】
架台上のＹ軸方向に配設するＹ軸ガイドレールと、該Ｙ軸ガイドレール上に往復移動可能に支持するＸ軸ガイドレールを備え、該Ｘ軸ガイドレールに沿って布保持用の枠を往復移動するように構成したミシンの移動部被覆装置において、前記Ｘ軸ガイドレールに一体成形する被覆部であって、前記Ｘ軸ガイドレールから鉛直方向に延出する第１延出部、及び該第１延出部に連続して水平方向に延出する第２延出部を有する被覆部と、該被覆部と前記Ｘ軸ガイドレールとの間の空間内で前記Ｘ軸ガイドレールに往復移動可能に装着すると共に、前記空間外に延出して前記布保持用の枠を支持する枠取付部材を備え、該枠取付部材の前記Ｘ軸ガイドレールに沿った移動部を前記被覆部によって被覆したことを特徴とするミシンの移動部被覆装置。
【請求項４】
前記Ｙ軸ガイドレールに一体成形し、前記Ｙ軸ガイドレールから少なくとも鉛直方向に延出する被覆部を備えたことを特徴とする請求項３記載のミシンの移動部被覆装置。
【請求項５】
前記Ｘ軸ガイドレール及びＹ軸ガイドレールの少くとも一方を、アルミニウム合金の押出成形によって前記被覆部を一体成形すると共に、少くとも前記枠取付部材が当接する部分に硬質アルマイト処理を行なうことを特徴とする請求項４記載のミシンの移動部被覆装置。
【発明の詳細な説明】
【０００１】
【産業上の利用分野】
本発明は、布保持用の枠、例えば刺繍ミシンの刺繍枠をガイドレールに沿って往復移動するように構成したミシンにおいて、ガイドレールに沿った移動部を被覆するのに好適な移動部被覆装置に係る。
【０００２】
【従来の技術】
刺繍ミシンにおいては、ミシンの針の上下動と同期して刺繍枠をＸ軸方向及びＹ軸方向に移動し、所定の布に所定パターンの縫目を形成することとしている。従って、ミシンテーブルに対し、刺繍枠が近接して設けられ、刺繍枠の枠取付部材がテーブルの上面に沿って移動する構成が一般的である。このため、刺繍用の布の一部が枠取付部材等の移動部に進入して、油等が付着し、あるいは故障するおそれがある。このような問題点に対し、例えば実公昭６１−４０２８９号公報には、Ｘ方向移動体と刺繍枠を備えた刺繍枠駆動装置の送路を被覆すべく、Ｙ方向の送り軸の送路に沿って移動する被覆ベルトを設けた刺繍ミシンにおける刺繍枠駆動装置の送路被覆装置が提案されている。
【０００３】
尚、上記送路被覆装置は、刺繍枠駆動装置のＹ軸方向の送路を被覆するものに限られており、刺繍枠のＸ軸方向の送路については明示されておらず、カバーが付設された図が示されているのみである。この部分の構造については、実公昭６０−２６１５３号公報に開示されているが、同公報にはカバーについての開示はない。
【０００４】
【発明が解決しようとする課題】
上記公報に記載の装置において、刺繍枠の移動に関連する移動部のうち、Ｘ軸方向の送路に対しては一般的な方法、例えば板材が固定されるというように、カバーが付設されるものと思われるが、運転時にカバーの取付部から騒音が発生し、あるいは取付部が外れるおそれがある。また、前述の実公昭６１−４０２８９号公報に記載のＹ軸方向の送路被覆装置に関しては、刺繍枠の移動に関連したＹ方向送り軸の送路が被覆されるが、可動部が多く複雑であり、また部品点数が多い。このため、製造、組付が困難で、コストアップとなる。
【０００５】
そこで、本発明は、布保持用の枠をガイドレールに沿って往復移動するように構成したミシンにおける移動部被覆装置に関し、ガイドレールに沿った移動部を、簡単な構造で容易に被覆し得るようにすることを目的とする。
【０００６】
【課題を解決するための手段】
上記の目的を達成するため、請求項１に係る発明として、布保持用の枠をガイドレールに沿って往復移動するように構成したミシンの移動部被覆装置において、前記ガイドレールに一体成形する被覆部であって、前記ガイドレールから鉛直方向に延出する第１延出部、及び該第１延出部に連続して水平方向に延出する第２延出部を有する被覆部と、該被覆部と前記ガイドレールとの間の空間内で前記ガイドレールに往復移動可能に装着すると共に、前記空間外に延出して前記布保持用の枠を支持する枠取付部材を備え、該枠取付部材の前記ガイドレールに沿った移動部を前記被覆部によって被覆したものである。
【０００７】
上記ガイドレール及び被覆部は、請求項２に記載のように、押出成形によって一体成形するとよい。特に、アルミニウム合金の押出成形が好ましい。
【０００８】
また、請求項３に記載のように、架台上のＹ軸方向に配設するＹ軸ガイドレールと、該Ｙ軸ガイドレール上に往復移動可能に支持するＸ軸ガイドレールを備え、該Ｘ軸ガイドレールに沿って布保持用の枠を往復移動するように構成したミシンの移動部被覆装置において、前記Ｘ軸ガイドレールに一体成形する被覆部であって、前記Ｘ軸ガイドレールから鉛直方向に延出する第１延出部、及び該第１延出部に連続して水平方向に延出する第２延出部を有する被覆部と、該被覆部と前記Ｘ軸ガイドレールとの間の空間内で前記Ｘ軸ガイドレールに往復移動可能に装着すると共に、前記空間外に延出して前記布保持用の枠を支持する枠取付部材を備え、該枠取付部材の前記Ｘ軸ガイドレールに沿った移動部を前記被覆部によって被覆したものとしてもよい。
【０００９】
前記請求項３において、更に、前記Ｙ軸ガイドレールに一体成形し、前記Ｙ軸ガイドレールから少なくとも鉛直方向に延出する被覆部を備えたものとしてもよい。
【００１０】
更に、請求項５に記載のように、前記Ｘ軸ガイドレール及びＹ軸ガイドレールの少くとも一方を、アルミニウム合金の押出成形によって前記被覆部を一体成形すると共に、少くとも前記枠取付部材が当接する部分に硬質アルマイト処理を行なうと良い。
【００１１】
前記Ｘ軸及びＹ軸ガイドレールは、上部の両側面をローラが挾持する外側支持レール構造としてもよいし、上面に開口部を有し該開口部内でローラを支持する内側支持レール構造としてもよい。前者の外側支持レールとした場合には、被覆部は、ローラが挾持する部分の下方で一旦水平方向に延出した後、鉛直方向に延出し、更に必要に応じ水平方向に延出した形状に形成する必要があるが、後者の内側支持レールとした場合には、該レールからそのまま鉛直方向に延出し、必要に応じ水平方向に延出するように被覆部を形成すればよい。また、これらのＸ軸及びＹ軸ガイドレールは、アルミニウム合金の押出成形によって被覆部を一体成形することができる。更に、Ｘ軸及びＹ軸ガイドレールのローラが移動する部分に硬質アルマイト処理を行なうと良い。
【００１２】
【作用】
請求項１に係るミシンの移動部被覆装置においては、被覆部がガイドレールに一体成形され、第１延出部が鉛直方向に延出すると共に第２延出部が水平方向に延出している。これらは、請求項２に記載のように、例えばアルミニウム合金の押出成形によって一体成形される。而して、布保持用の枠が取付けられた枠取付部材が、被覆部とガイドレールとの間の空間内でガイドレールに沿って移動する。このとき、枠取付部材はガイドレールに沿って移動するが、その移動部は被覆部によって被覆されているので、布等が進入することなく円滑に作動する。
【００１３】
また、請求項３に係る移動部被覆装置においては、Ｙ軸ガイドレールに沿ってＸ軸ガイドレールが移動すると共に、Ｘ軸ガイドレールに沿って枠取付部材が移動し、Ｘ−Ｙ平面上の所定位置に枠取付部材が配置され、刺繍が行なわれる。この場合において、Ｘ軸ガイドレールには鉛直方向に延出する第１延出部及び水平方向に延出する第２延出部を有する被覆部が一体成形されており、枠取付部材が被覆部とＸ軸ガイドレールの上面との間の空間に介装された状態で移動する。このように枠取付部材のＸ軸ガイドレールに沿った移動部が適切に被覆されているので、布等が進入することなく円滑に作動する。
【００１４】
更に、請求項４に係る発明によれば、Ｙ軸ガイドレールにも被覆部が一体成形されているので、この被覆部によってＹ軸ガイドレールの移動部も適切に被覆される。加えて、請求項５に係る発明によれば、Ｘ軸ガイドレール及びＹ軸ガイドレールの少くとも一方について、アルミニウム合金の押出成形によって被覆部が一体成形され、枠取付部材が当接する部分には硬質アルマイト処理が行なわれる。
【００１５】
【実施例】
以下、本発明の実施例を図面を参照して説明する。
図１及び図２は本発明の一実施例に係る移動部被覆装置を備えた刺繍ミシンの駆動部分を示すもので、架台１上に一対の支持台２，２が平行に配置され、固定されている。これらの支持台２，２の上面には一対のＹ軸ガイドレール３，３が固定され、これらに沿って往復移動可能に支持された一対の移動部材４，４を介して、Ｙ軸ガイドレール３，３に対して直交する方向にＸ軸ガイドレール５が配設されている。そして、Ｘ軸ガイドレール５に対して往復移動可能に枠取付部材６が支持されている。而して、Ｘ軸、Ｙ軸が夫々図１に矢印で示した方向に設定され、後述するように駆動モータ１０，１１によって枠取付部材６がＸ−Ｙ平面の所定の位置に移動し得るように構成されている。
【００１６】
上記Ｙ軸ガイドレール３，３は、図２に示す断面を有する同一形状の棒部材で、左右対称に配置されている。以下、両者を代表して図２の右側のＹ軸ガイドレール３について説明する。Ｙ軸ガイドレール３の本体部分であるガイド部３０は所謂リニアガイドを構成するもので、上部の両側面に断面山形の突出部３０ａが形成されており、図３に拡大して示したＸ軸ガイドレール５の突出部５０ａと同様の断面形状を呈する。そして、一方の側面から水平方向に延出する被覆部３１と、これに連続して鉛直方向に延出する被覆部３２が一体成形されている。このＹ軸ガイドレール３はアルミニウム合金の押出成形によって図２に示す断面形状に形成される。更に、両側面の突出部３０ａの耐摩耗性を確保すべく、同部には硬質アルマイト処理が行なわれる。
【００１７】
各Ｙ軸ガイドレール３には、断面略Ｌ字形の移動部材４が往復移動可能に支持され、一対の移動部材４，４の上面にＸ軸ガイドレール５の両端部が固定されている。各々の移動部材４には一対の脚部４３（図１には一方のみが表れている）が延出形成されており、各脚部４３の下面に、外周端面にＶ字溝が形成された少くとも一組のローラ４１，４２が、夫々鉛直方向の軸を中心に回動自在に軸支されている。そして、これらのローラ４１，４２間にガイド部３０の突出部３０ａを挾持するように、移動部材４がＹ軸ガイドレール３に保持されている。即ち、移動部材４はＹ軸ガイドレール３に対して鉛直方向（上下方向）に移動しないように保持されると共に、Ｙ軸方向に移動可能に支持されている。そして、移動部材４の脚部４３は、後述するベルト７０を挾持するように接続されており、ベルト７０の移動に応じて移動部材４がＹ軸ガイドレール３に平行に移動し得るように構成されている。
【００１８】
図１に示すように、一対のＹ軸ガイドレール３，３の内側には、一対のベルト装置７，７が平行に配設されている。ベルト装置７は、架台１に固定された支持台７１，７２に、夫々駆動プーリ７３及び従動プーリ７４が回動自在に支持され、これらのプーリ７３，７４間に無端の噛合伝導ベルト７０（以下、単にベルト７０という）が張設されたもので、左右のＹ軸ガイドレール３の内側に夫々配設されている。左右の駆動プーリ７３，７３は駆動軸７５を介して連結されており、その中間部に駆動プーリ７６が固定されている。この駆動プーリ７６と、駆動モータ１０の回転軸に固定されたプーリ７８との間に無端の噛合伝導ベルト７７が張設されている。而して、駆動モータ１０が回転駆動されると、その回転力はプーリ７８、ベルト７７を介して駆動プーリ７６に伝達され、更に駆動軸７５を介して駆動プーリ７３，７３に伝達され、左右のベルト７０，７０が駆動される。
【００１９】
Ｘ軸ガイドレール５は図１に示すように一対の移動部材４，４に支持されており、ベルト７０，７０による移動部材４，４の移動に応じて、Ｙ軸ガイドレール３，３に沿って往復移動する。また、Ｘ軸ガイドレール５に平行にベルト装置８が配設されている。即ち、一方の移動部材４の上部には駆動モータ１１が支持され、その回転軸に駆動プーリ８１が固定されると共に、他方の移動部材４の上部には従動プーリ８２が回動自在に支持されており、これら駆動プーリ８１と従動プーリ８２の間に無端の噛合伝導ベルト８０（以下、単にベルト８０という）が張設されている。
【００２０】
Ｘ軸ガイドレール５は図３に示すように、上部の両側面に山形断面の突出部５０ａが形成されたガイド部５０を有する。また、ガイド部５０の側面から水平方向に延出する被覆部５１，これに連続し鉛直方向（上方向）に延出し、本発明の第１延出部を構成する被覆部５２、これに斜面部を介して連続し水平方向に延出し、本発明の第２延出部を構成する被覆部５３、更に斜面部を介して連続し鉛直方向（下方向）に延出する被覆部５４が形成され、略Ｃ字状の断面の管体が一体的に延出形成されている。このように、Ｘ軸ガイドレール５はかなり複雑な断面に形成されているが、前述のＹ軸ガイドレール３と同様、アルミニウム合金の押出成形によって容易に形成することができる。また、Ｘ軸ガイドレール５においても、突出部５０ａに硬質アルマイト処理が行なわれる。
【００２１】
そして、この被覆部５１乃至５４によって郭成された空間に枠取付部材６及びベルト８０が収容される。尚、図１に示すようにＸ軸ガイドレール５の両側は、移動部材４に固定するため被覆部５１乃至５４が切除されている。従って、Ｘ軸ガイドレール５を移動部材４に組み付ける前に、枠取付部材６を上記空間内に容易に収容することができる。
【００２２】
枠取付部材６の下面には、外周端面にＶ字溝が形成された少くとも一組のローラ６１，６２が、夫々鉛直方向の軸を中心に回動自在に軸支されている。これらのローラ６１，６２間にガイド部５０の突出部５０ａを挾持するように、枠取付部材６がＸ軸ガイドレール５に保持されている。即ち、枠取付部材６はＸ軸ガイドレール５に対して鉛直方向（上下方向）に移動しないように保持されると共に、Ｘ軸方向に移動可能に支持されている。そして、枠取付部材６はベルトホルダ６３によってベルト８０に固定されており、ベルト８０の移動に応じて枠取付部材６がＸ軸ガイドレール５に平行に移動し得るように構成されている。
【００２３】
而して、図１において駆動モータ１０が所定方向に回転駆動されると、ベルト７７を介して駆動プーリ７６が回動し、両側の駆動プーリ７３，７３が回動する。これにより、一対のベルト７０，７０が駆動され、これらに固定された移動部材４，４がＹ軸ガイドレール３，３上を移動し、Ｘ軸ガイドレール５がＹ軸方向に移動する。更に、駆動モータ１１が所定方向に回転駆動されると、ベルト８０が駆動され、これに固定された枠取付部材６がＸ軸ガイドレール５上を移動し、枠取付部材６がＸ軸方向に移動する。結局、枠取付部材６がＸ軸及びＹ軸に沿って駆動されることとなり、駆動モータ１０，１１の駆動に応じてＸ−Ｙ面上の所定位置に配設される。尚、駆動モータ１０，１１の制御については説明を省略する。
【００２４】
上記被覆部５１乃至５４（もしくは被覆部５２０乃至５４０）が一体成形されたＸ軸ガイドレール５が刺繍ミシンに配設されると、図５に示すようになり、枠取付部材６の移動部の美感が維持される。しかも、枠取付部材６は被覆部５１乃至５４に囲繞された状態で移動し、枠取付部材６の移動部が被覆されているので、作業中に布等が進入することを阻止できる。同様に、Ｙ軸ガイドレール３には鉛直方向に被覆部３２が一体成形され、図１及び図２に示すように立設されているので、外側に対して被覆された状態となっている。従って、Ｙ軸方向の移動部への異物の進入も阻止することができる。
【００２５】
尚、上記の実施例においては、Ｘ軸ガイドレール５のガイド部５０がプーリ６１，６２に挾持される外側支持レール構造が採用されているが、図４に示すようにＸ軸ガイドレール５ｓが上面に開口部５５０を有し、この中でローラ６４，６５を支持する内側支持レール構造としてもよい。このような構造とすることにより、図３の実施例では被覆部５１を形成する必要があるのに対し、本実施例ではＸ軸ガイドレール５００からそのまま鉛直方向（上方）に延出して被覆部５２０が形成されると共に、水平方向の被覆部５３０及び鉛直方向の被覆部５４０が連続して形成される。
【００２６】
【発明の効果】
本発明は上述のように構成されているので以下の効果を奏する。
即ち、請求項１に係るミシンの移動部被覆装置においては、ガイドレールに被覆部が一体成形され、その第１延出部及び第２延出部が夫々鉛直方向及び水平方向に延出するように構成されると共に、被覆部とガイドレールとの間の空間内でガイドレールに往復移動可能に枠取付部材が装着され、この枠取付部材が空間外に延出して布保持用の枠を支持するように構成されており、ガイドレールに沿って移動するときには、その移動部は被覆部によって被覆されているので、布等が進入することなく円滑に作動する。このように、枠取付部材のガイドレールに沿った移動部を、簡単な構造で容易に被覆することができ、美感を維持し得るのみならず、布等の進入を阻止し効率的に刺繍を行なうことができる。
【００２７】
特に、ガイドレール及び被覆部を、例えばアルミニウム合金の押出成形によって一体成形することとすれば、容易且つ安価に製造することができる。
【００２８】
更に、請求項３に係る移動部被覆装置においては、Ｙ軸ガイドレールに沿ってＸ軸ガイドレールが移動すると共に、Ｘ軸ガイドレールに沿って枠取付部材が移動し、Ｘ−Ｙ平面上の所定位置に枠取付部材が配置され、鉛直方向及び水平方向に延出する被覆部がＸ軸ガイドレールに一体成形されており、枠取付部材が被覆部とＸ軸ガイドレールの上面との間の空間に介装された状態で枠取付部材のガイドレールに沿った移動部が被覆されるように構成されているので、簡単な構造で容易に当該移動部を被覆することができ、従って布等が進入することなく円滑に駆動することができる。
【００２９】
また、請求項４に係る発明によれば、Ｙ軸ガイドレールにも被覆部が一体成形されているので、この被覆部によってＹ軸ガイドレールに沿った移動部も適切に被覆することができる。
【００３０】
そして、請求項５に係る発明によれば、Ｘ軸ガイドレール及びＹ軸ガイドレールの少くとも一方に関し、アルミニウム合金の押出成形によって被覆部が一体成形されるので、容易に製造することができると共に、枠取付部材が当接する部分には硬質アルマイト処理が行なわれるので、耐摩耗性を確保することができる。
【図面の簡単な説明】
【図１】本発明の一実施例に係る移動部被覆装置を備えた刺繍ミシンの駆動部分を示す斜視図である。
【図２】本発明の一実施例に係る移動部被覆装置を備えた刺繍ミシンの駆動部分を示す部分断面正面図である。
【図３】本発明の一実施例におけるＸ軸ガイドレール部分の断面図である。
【図４】本発明の他の実施例におけるＸ軸ガイドレール部分の断面図である。
【図５】本発明の移動部被覆装置を装着した状態を示す刺繍ミシンの斜視図である。
【符号の説明】
１    架台
２    支持台
３    Ｙ軸ガイドレール
４    移動部材
５    Ｘ軸ガイドレール
６    枠取付部材
７，８  ベルト装置
１０，１１  駆動モータ
３０  ガイド部
３１，３２  被覆部
５０  ガイド部
５１〜５４  被覆部
【図１】
0003806150.tif 000002
【図２】
0003806150.tif 000003
【図３】
0003806150.tif 000004
【図４】
0003806150.tif 000005
【図５】
0003806150.tif 000006